(57)【特許請求の範囲】
【請求項１】
金属支持基板と、前記金属支持基板上に形成されたベース絶縁層と、前記ベース絶縁層上に形成された複数の配線と、前記ベース絶縁層及び前記配線の上に形成された第１のカバー絶縁層と、前記配線間における前記第１のカバー絶縁層の上に形成された第２のカバー絶縁層と、を備えたサスペンション用基板の製造方法であって、
前記ベース絶縁層の上に、前記配線を形成する工程と、
前記ベース絶縁層、および、前記配線の上に、前記配線間の中央における厚みが前記配線の厚みよりも小さい第１のカバー絶縁層を形成する工程と、
前記配線間における前記ベース絶縁層の上の前記第１のカバー絶縁層の上に、第２のカバー絶縁層を形成する工程と、
を順に有し、
前記第１のカバー絶縁層が、第１のポリイミド前駆体をイミド化した第１のポリイミド樹脂からなり、
前記第２のカバー絶縁層が、第２のポリイミド前駆体をイミド化した第２のポリイミド樹脂からなり、
前記第１のカバー絶縁層を形成する工程が、
前記第１のポリイミド前駆体を溶剤に溶解させた第１の塗液を、前記ベース絶縁層、および、前記配線の上に塗布し、前記第１のポリイミド前駆体をイミド化する工程であり、
前記第２のカバー絶縁層を形成する工程が、
前記第１のポリイミド前駆体をイミド化して第１のカバー絶縁層を形成した後に、前記第２のポリイミド前駆体を溶剤に溶解させた第２の塗液を、前記第１のカバー絶縁層の上に塗布し、前記第２のポリイミド前駆体をイミド化する工程であり、
前記第２の塗液として、前記第２の塗液の粘度が、前記第１の塗液の粘度よりも小さい塗液を用いて、
前記配線間における、前記第１のカバー絶縁層と前記第２のカバー絶縁層を合わせた厚みを、前記配線の厚みよりも大きくすることを特徴とするサスペンション用基板の製造方法。
【請求項２】
前記第１のポリイミド前駆体と、前記第２のポリイミド前駆体が、同一のポリアミド酸で構成されていることを特徴とする請求項１に記載のサスペンション用基板の製造方法。
【発明の詳細な説明】
【技術分野】
【０００１】
本発明は、主に、ハードディスクドライブ（ＨＤＤ）に用いられ、データが記憶されるディスクに対してデータの書き込み、および、読み取りを行う磁気ヘッドスライダが実装されるサスペンション用基板に関するものである。
【背景技術】
【０００２】
近年、インターネットの普及等によりパーソナルコンピュータの情報処理量の増大や情報処理速度の高速化が要求されてきており、それに伴って、パーソナルコンピュータに組み込まれているハードディスクドライブ（ＨＤＤ）も大容量化や情報伝達速度の高速化が必要となってきている。
【０００３】
上記のハードディスクドライブ（ＨＤＤ）は、データが記憶されるディスクに対してデータの書き込み、および読み取りを行う磁気ヘッドスライダが実装されるサスペンション用基板を備えている。
そして、このサスペンション用基板は、一般に、ばね性を有する金属支持基板と、前記金属支持基板の上に形成されたベース絶縁層と、前記ベース絶縁層の上に形成された複数の配線と、を有している。
【０００４】
ここで、上述の各配線においては、例えば、差動伝送により電気信号の伝送が行われ、一対の配線間には、分布定数回路としての差動伝送路の特性インピーダンスである差動インピーダンスが存在する。この差動インピーダンスは、磁気ヘッドやプリアンプの低インピーダンス化に伴い、インピーダンスマッチングの観点から、低インピーダンス化することが要求されている。
【０００５】
上記の差動インピーダンスを低減することが可能な配線構成として、第１の電気信号を伝送する配線と、前記第１の電気信号とは逆位相となる第２の電気信号を伝送する配線からなる一対の差動配線を、１または２以上の配線に分岐させ、第１の電気信号を伝送する分岐配線と、前記第１の電気信号とは逆位相となる第２の電気信号を伝送する分岐配線を、それぞれ交互配列させた配線構成（インターリーブ配線構造）が提案されている（特許文献１）。
【０００６】
図９は、上述のインターリーブ配線構造の基本構成の例を示す説明図である。
図９に示すように、インターリーブ配線構造１００は、第１の電気信号を伝送する配線１０１と、前記第１の電気信号とは逆位相となる第２の電気信号を伝送する配線１０２で構成される一対の差動配線からなり、前記第１信号伝送配線１０１は、配線１０４Ａ、１０４Ｃに分岐し、前記第２信号伝送配線１０２は、配線１０４Ｂ、１０４Ｄに分岐し、互いに逆位相となる配線が隣になるように、交互に並列配設されている。
そして、同位相の配線１０４Ａ、１０４Ｃは、ジャンパー線１０５で接続されており、同様に、配線１０４Ｂ、１０４Ｄは、ジャンパー線１０６で接続されており、各々、同じ位相同士の配線で閉じた回路を形成している。
【０００７】
このような構成とすることにより、インターリーブ配線構造においては、通常の差動配線のような一対の配線２本を配置した構成に比べ、差動インピーダンスを低減することができる。
【０００８】
上述のようなインターリーブ配線構造をサスペンション用基板に形成する方法として、例えば、金属支持基板の上に形成されたベース絶縁層の上に一対の差動配線を交互配置し、これらの配線の上にカバー絶縁層を形成し、前記カバー絶縁層の上に形成する接続線と、前記カバー絶縁層に設けた接続ビアとでジャンパー線を構成して同位相の配線同士を電気的に接続する方法が提案されている（特許文献２）。
【０００９】
ここで、従来の方法（例えば、特許文献２）では、図１０（ａ）に示すように、インターリーブ配線構造を構成する配線１０４Ａ、１０４Ｂ、１０４Ｃ、１０４Ｄは、ベース絶縁層１１２を介して、ステンレス鋼からなる金属支持基板１１１の上に形成されているため、前記ステンレス鋼からなる金属支持基板１１１との距離が近く、高周波特性に悪影響を受けやすい。
より具体的に説明すると、配線１０４Ａ、１０４Ｂ、１０４Ｃ、１０４Ｄと配線下の金属支持基板１１１とは、誘導もしくは容量性結合を形成するため、配線１０４Ａ、１０４Ｂ、１０４Ｃ、１０４Ｄに電気信号（特に高周波信号）が伝送されると、導電性の低いステンレス鋼からなる金属支持基板１１１にも電流が発生して、伝送ロスが大きくなるという問題がある。
そのため、図１０（ｂ）に示すように、配線１０４Ａ、１０４Ｂ、１０４Ｃ、１０４Ｄの下の金属支持基板１１１を除去して開口部１１６を設け、上記の誘導性の結合を低減させる方法が提案されている（例えば、特許文献３）。
【先行技術文献】
【特許文献】
【００１０】
【特許文献１】特開平１０−１２４８３７号公報
【特許文献２】特開２０１０−１１４３６６号公報
【特許文献３】特開２０１１−７６６４５号公報
【特許文献４】特開２０１０−１３５５１４号公報
【発明の概要】
【発明が解決しようとする課題】
【００１１】
ここで、上述のようなインターリーブ配線構造で、さらに差動インピーダンスを低減させる方法としては、例えば、配線の線幅をより大きくする方法、配線間の距離をより小さくする方法、または、配線間の結合容量をより大きくする方法、が挙げられる。
しかしながら、配線の線幅をより大きくする方法は、配線の高密度化の観点から好ましくなく、また、配線間の距離をより小さくする方法は、高い加工精度を要求し、コストアップ等を招くことになるため好ましくない。
【００１２】
一方、配線間の結合容量をより大きくする方法は、交互配置された差動配線間に、空気よりも比誘電率の高い誘電体を充填することで達成可能であり、この方法であれば、配線幅や配線間距離を変更しなくても、差動インピーダンスを低減させる効果を得られるため、好ましい。
そして、カバー絶縁層の材料として、主に用いられるポリイミド樹脂は、空気（比誘電率は１程度）よりも比誘電率の高い誘電体（比誘電率は３〜４程度）であるため、このポリイミド樹脂からなるカバー絶縁層で配線間を充填することが考えられる。
【００１３】
ここで、従来、カバー絶縁層の材料としてポリイミド樹脂を用いる場合には、ポリイミド前駆体と溶剤から構成される塗液を、配線の上から塗布し、乾燥やパターニング等の処理を施した後に、イミド化を行うことにより、単層のカバー絶縁層を形成していた（例えば、特許文献４）。
【００１４】
しかしながら、例えば、図１０（ａ）および（ｂ）に示すように、上記の乾燥やイミド化の工程における樹脂の収縮により、前記配線間の中央におけるカバー絶縁層１１４の厚み（Ｔ１）は薄くなってしまうため、従来の方法では、配線の高さ（もしくは厚み）（Ｈ１）まで前記カバー絶縁層を形成することはできず、それゆえ、配線間の結合容量も大きくできないという問題があった。
【００１５】
また、配線間のカバー絶縁層の厚みは形成条件等で変化し、この厚みの違いによって配線間の結合容量も変化するため、サスペンション用基板間で差動インピーダンスの値がばらついてしまうという問題もあった。
【００１６】
本発明は、上記実情に鑑みてなされたものであり、インターリーブ配線の差動インピーダンスを、従来よりも低減化できるサスペンション用基板の製造方法を提供することを目的とする。
【課題を解決するための手段】
【００１７】
本発明者は、種々研究した結果、前記ベース絶縁層および前記配線の上に、前記配線を被覆する第１のカバー絶縁層を形成した後に、前記第１のカバー絶縁層の上に、前記配線間の空間を埋める第２のカバー絶縁層を形成することにより、上記課題を解決できることを見出して本発明を完成したものである。
【００１８】
すなわち、本発明の請求項１に係る発明は、金属支持基板と、前記金属支持基板上に形成されたベース絶縁層と、前記ベース絶縁層上に形成された複数の配線と、前記ベース絶縁層及び前記配線の上に形成された第１のカバー絶縁層と、前記配線間における前記第１のカバー絶縁層の上に形成された第２のカバー絶縁層と、を備えたサスペンション用基板の製造方法であって、前記ベース絶縁層の上に、前記配線を形成する工程と、前記ベース絶縁層、および、前記配線の上に、前記配線間の中央における厚みが前記配線の厚みよりも小さい第１のカバー絶縁層を形成する工程と、前記配線間における前記ベース絶縁層の上の前記第１のカバー絶縁層の上に、第２のカバー絶縁層を形成する工程と、を順に有し、前記第１のカバー絶縁層が、第１のポリイミド前駆体をイミド化した第１のポリイミド樹脂からなり、前記第２のカバー絶縁層が、第２のポリイミド前駆体をイミド化した第２のポリイミド樹脂からなり、前記第１のカバー絶縁層を形成する工程が、前記第１のポリイミド前駆体を溶剤に溶解させた第１の塗液を、前記ベース絶縁層、および、前記配線の上に塗布し、前記第１のポリイミド前駆体をイミド化する工程であり、前記第２のカバー絶縁層を形成する工程が、前記第１のポリイミド前駆体をイミド化して第１のカバー絶縁層を形成した後に、前記第２のポリイミド前駆体を溶剤に溶解させた第２の塗液を、前記第１のカバー絶縁層の上に塗布し、前記第２のポリイミド前駆体をイミド化する工程であり、前記第２の塗液として、前記第２の塗液の粘度が、前記第１の塗液の粘度よりも小さい塗液を用いて、前記配線間における、前記第１のカバー絶縁層と前記第２のカバー絶縁層を合わせた厚みを、前記配線の厚みよりも大きくすることを特徴とするサスペンション用基板の製造方法である。
【００１９】
また、本発明の請求項２に係る発明は、前記第１のポリイミド前駆体と、前記第２のポリイミド前駆体が、同一のポリアミド酸で構成されていることを特徴とする請求項１に記載のサスペンション用基板の製造方法である。
【発明の効果】
【００２８】
本発明によれば、前記配線間に第１のカバー絶縁層と第２のカバー絶縁層が形成されているため、従来よりも、前記配線間の隙間を、空気より比誘電率の高い誘電体で埋めることが可能となり、配線間の結合容量がより高まることから、前記配線の差動インピーダンスをより低減化することができるという効果を奏する。
【図面の簡単な説明】
【００２９】
【図１】本発明に係るサスペンション用基板の一例を示す概略平面図である。
【図２】図１における領域ＲのＡ−Ａ断面図である。
【図３】本発明に係るインターリーブ配線構造の一例を説明する概略平面図である。
【図４】本発明に係るサスペンション用基板の製造方法の一例を示す模式的工程図である。
【図５】図４に続く、本発明に係るサスペンション用基板の製造方法の一例を示す模式的工程図である。
【図６】本発明に係るサスペンションの一例を示す概略平面図である。
【図７】本発明に係るヘッド付サスペンションの一例を示す概略平面図である。
【図８】本発明に係るハードディスクドライブの一例を示す概略斜視図である。
【図９】インターリーブ配線構造の基本構成の例を示す説明図である。
【図１０】従来のサスペンション用基板の配線構成例を示す概略断面図である。
【発明を実施するための形態】
【００３０】
以下、本発明のサスペンション用基板、サスペンション、ヘッド付サスペンション、ハードディスクドライブ、および、サスペンション用基板の製造方法について詳細に説明する。
【００３１】
［サスペンション用基板］
まず、本発明のサスペンション用基板の平面構成について説明する。
図１は、本発明に係るサスペンション用基板の一例を示す概略平面図である。
図１に示すように、本発明に係るサスペンション用基板１は、先端部分に、磁気ヘッドスライダを実装するためのタング部２を有し、テール側端部に、読取回路または書込回路と接続するための接続端子部３を有し、タング部２と接続端子部３との間に、前記磁気ヘッドと書込回路とを電気的に接続するための書込配線４と、前記磁気ヘッドと読取回路とを電気的に接続する読取配線５を有するものである。
【００３２】
ここで、書込配線４と読取配線５は、相互の電気的な影響を極力避けるため、および、サスペンション用基板の力学的平衡を保つため、各々、サスペンション用基板の長手方向の両外縁に沿うように配設されている。
【００３３】
なお、図１における書込配線４と読取配線５の配置関係は、一例であって、他の配置関係であっても構わない。例えば、図１における書込配線４の位置に、読取配線５が配設され、読取配線５の位置に、書込配線４が配設されていても良い。
【００３４】
次に、本発明に係るサスペンション用基板の断面構成について説明する。
本発明に係るサスペンション用基板は、金属支持基板と、前記金属支持基板上に形成されたベース絶縁層と、前記ベース絶縁層上に形成された複数の配線と、を備えたサスペンション用基板であって、前記ベース絶縁層、および、前記配線の上に、前記配線間の中央における厚みが前記配線の厚みよりも小さい第１のカバー絶縁層を有し、前記配線間における前記ベース絶縁層の上の前記第１のカバー絶縁層の上に、第２のカバー絶縁層を有するものである。
【００３５】
図２は、本発明に係るサスペンション用基板の構成例を示す断面図であり、図１における領域ＲのＡ−Ａ断面図である。
【００３６】
例えば、図２に示すように、本発明のサスペンション用基板１は、金属支持基板１１と、前記金属支持基板１１上に形成されたベース絶縁層１２と、前記ベース絶縁層１２上に形成された４本の配線４Ａ〜４Ｄと、を備えている。なお、煩雑となるのを避けるため図示はしていないが、配線４Ａ〜４Ｄとベース絶縁層１２の間には、前記配線を電解めっき形成するためのシード層が、設けられていても良い。
【００３７】
そして、前記ベース絶縁層１２、および、配線４Ａ〜４Ｄの上には、前記配線間の中央における厚み（Ｔ１）が前記配線の厚み（Ｈ１）よりも小さい第１のカバー絶縁層１４が形成されており、前記第１のカバー絶縁層１４の上には、第２のカバー絶縁層１５が形成されている。
ここで、前記第１のカバー絶縁層１４は、主に、配線４Ａ〜４Ｄの腐食等による劣化を防止するために、配線４Ａ〜４Ｄを被覆する目的で形成されるものであり、前記第２のカバー絶縁層１５は、主に、配線間の結合容量を高めるために配線４Ａ〜４Ｄの各配線間の隙間を埋める目的で形成されるものである。
したがって、本発明において、前記第２のカバー絶縁層１５は、少なくとも、前記配線４Ａ〜４Ｄ間における前記ベース絶縁層１２の上の前記第１のカバー絶縁層１４の上に形成されていればよい。
また、本発明において、前記第２のカバー絶縁層１５は、感光性材料を使って、フォトリソ工程により、前記配線４Ａ〜４Ｄ間における前記ベース絶縁層１２の上の前記第１のカバー絶縁層１４の上にのみ形成されていてもよい。
【００３８】
上述のように、本発明のサスペンション用基板１においては、複数の配線４Ａ〜４Ｄの間に、第１のカバー絶縁層１４と第２のカバー絶縁層１５が形成されていることから、従来よりも、配線間の隙間を、空気よりも比誘電率の高い誘電体で埋めることが可能となり、配線間の結合容量がより高まることから、前記配線の差動インピーダンスをより低減化することができるという効果を奏する。
【００３９】
ここで、本発明においては、例えば、図２に示すように、前記複数の配線４Ａ〜４Ｄの各配線間の隙間における、前記第１のカバー絶縁層１４と前記第２のカバー絶縁層１５を合わせた厚み（Ｈ２）が、前記配線４Ａ〜４Ｄの厚み（Ｈ１）よりも大きいことが、好ましい。
【００４０】
上述のような構成にすることで、前記配線間の結合容量増加の効果を最大限引き出すことができ、また、各配線間の隙間を全て前記誘電体で埋めることができるため、各配線間の結合容量のばらつきを抑制することができるからである。
すなわち、上述のような構成にすることで、本発明に係るサスペンション用基板の差動インピーダンスをさらに低減化でき、安定化できる。
【００４１】
また、本発明においては、前記第１のカバー絶縁層と、前記第２のカバー絶縁層が、同一材料で形成されていることが好ましい。前記第１のカバー絶縁層と前記第２のカバー絶縁層が同一材料で形成されていれば、前記第１のカバー絶縁層１４と前記第２のカバー絶縁層１５との密着性を高めることができ、前記第２のカバー絶縁層１５が前記第１のカバー絶縁層１４から剥離してしまうことを防止できるからである。
【００４２】
前記第１のカバー絶縁層１４、および、前記第２のカバー絶縁層１５を形成する材料としては、空気よりも比誘電率の高い誘電体であれば用いることができ、例えば、ポリイミド樹脂を用いることができる。
なお、比誘電率とは、物質（誘電体）の誘電率と真空の誘電率の比のことであり、空気の比誘電率が、概ね１であるのに対し、ポリイミド樹脂の比誘電率は３〜４程度である。
そして、ポリイミド樹脂は、配線の腐食等による劣化を防止するためのカバー絶縁層の材料として実績がある。
【００４３】
ここで、上述のように、カバー絶縁層をポリイミド樹脂で形成する場合、従来は、ポリアミド酸からなるポリイミド前駆体を溶剤に溶解させた塗液を配線の上から塗布し、乾燥やパターニング等の処理を施した後に、前記ポリイミド前駆体をイミド化することにより、単層のカバー絶縁層を形成していた。
そして、従来においては、主にイミド化工程における樹脂の収縮により、配線間のカバー絶縁層の厚みが薄くなってしまい、配線の高さ（厚み）まで前記カバー絶縁層を形成することができず、それゆえ、配線間の結合容量も大きくできないという問題があった。
【００４４】
そこで、本発明においては、まず、前記ベース絶縁層および前記配線の上に、主に、配線の腐食等による劣化を防止する目的で、前記配線を被覆する第１のカバー絶縁層を形成し、その後、前記第１のカバー絶縁層の上に、主に、前記配線間の隙間を埋める目的で、第２のカバー絶縁層を形成する。
より具体的に述べれば、前記第１のカバー絶縁層を形成する第１のポリイミド前駆体をイミド化した後に、前記第２のカバー絶縁層を形成する第２のポリイミド前駆体を含む塗液を、前記第１のカバー絶縁層の上に塗布して、イミド化等の処理を施して第２のカバー絶縁層を形成する。
【００４５】
上述のように、本発明においては、第１のカバー絶縁層を形成する第１のポリイミド前駆体をイミド化させた後に、第２のカバー絶縁層を形成するため、例え、第１のカバー絶縁層が乾燥工程やイミド化工程により収縮しても、第２のカバー絶縁層と合わせた厚みによって、前記配線間の隙間をポリイミド樹脂で埋めていくことができる。
【００４６】
上述のような方法で各カバー絶縁層を積層形成する場合、各カバー絶縁層間には積層の跡が残る。それゆえ、本発明においては、前記第１のカバー絶縁層と前記第２のカバー絶縁層が同一材料からなる場合であっても、例えば、断面観察することにより、前記第１のカバー絶縁層の存在と前記第２のカバー絶縁層の存在を認識することができる。
【００４７】
また、本発明においては、第１のカバー絶縁層を構成する第１のポリイミド前駆体と、第２のカバー絶縁層を構成する第２のポリイミド前駆体を、同一材料にする場合であっても、前記ポリイミド前駆体を溶解する溶剤の量を変えることによって、各ポリイミド前駆体が溶解した塗液の粘度を変えることができる。
それゆえ、本発明においては、第２のカバー絶縁層を形成する際の塗液（第２の塗液）の粘度を、第１のカバー絶縁層を形成する際の塗液（第２の塗液）の粘度よりも小さくなるように調整して、第２のカバー絶縁層による配線間の充填性を、より高めることもできる。
詳しくは、後述するサスペンション用基板の製造方法で説明する。
【００４８】
次に、本発明に係るサスペンション用基板の配線構成について説明する。
本発明において、上記の配線４Ａ〜４Ｄは、一対の差動配線をそれぞれ分岐して交互に並列配設したインターリーブ配線構造を構成するものである。
ここで、前記インターリーブ配線構造を構成する配線は、上述の書込配線であっても良く、読取配線であっても良いが、中でも書込配線であることが好ましい。書込配線において、特に低インピーダンス化が求められているからである。
【００４９】
図３は、本発明におけるインターリーブ配線構造の例を説明する概略平面図である。なお、煩雑となるのを避けるため、図３においては、インターリーブ配線構造を説明するための導体以外の構成要素（例えば、分岐した配線と接続線との間に設けられる絶縁層）の記載は省略している。
【００５０】
図３に示すように、本発明におけるインターリーブ配線２０は、基本構成として、まず、第１の電気信号を伝送する配線２１と、前記第１の電気信号とは逆位相となる第２の電気信号を伝送する配線２２で構成される一対の差動配線を有しており、前記第１信号伝送配線２１は、配線４Ａ、４Ｃに分岐し、前記第２信号伝送配線２２は、配線４Ｂ、４Ｄに分岐し、互いに逆位相となる配線が隣り合うように、交互に並列配設されている。
【００５１】
そして、同位相の配線４Ａ、４Ｃは、接続ビア２３Ａ、２３Ｃを経由して接続線２４で接続されており、同様に、配線４Ｂ、４Ｄは、接続ビア２３Ｂ、２３Ｄを経由して接続線２５で接続されており、各々、同じ位相同士の配線で閉じた回路を形成している。
【００５２】
なお、本発明において、上記の接続ビア２３Ａ、２３Ｂ、２３Ｃ、２３Ｄ、および、接続線２４、２５の材料や形成方法については、特に限定されず、従来のインターリーブ配線構造で用いられる材料や形成方法を用いることができる。
【００５３】
また、本発明においては、インターリーブ配線構造を構成する配線の数は、４本よりも多い数であってもよい。４本よりも多い数の配線で、インターリーブ配線構造を構成する場合も、上述と同様に一対の差動配線から分岐した４本より多い数の配線を、交互に並列配設してインターリーブ配線構造を構成することで、さらに差動インピーダンスを低減することが可能になる。
【００５４】
本発明によれば、上記のようなインターリーブ配線構造の配線間に、第１のカバー絶縁層と第２のカバー絶縁層が形成されていることから、従来よりも、配線間の隙間を、空気よりも比誘電率の高い誘電体で埋めることができ、配線間の結合容量がより高まることから、前記配線の差動インピーダンスをより低減化することができるという効果を奏する。
【００５５】
そして、前記配線間の前記第１のカバー絶縁層と前記第２のカバー絶縁層を合わせた厚みを、前記配線の厚みよりも大きくすることにより、前記配線間の結合容量増加の効果を最大限引き出すことができ、また、各配線間の空間を全て前記誘電体で埋めることができるため、各配線間の結合容量のばらつきを抑制することができる。すなわち、前記差動インピーダンスをさらに低減化でき、安定化できる。
【００５６】
以下、本発明のサスペンション用基板を構成するその他の部材について説明する。
【００５７】
［金属支持基板］
金属支持基板の材料としては、サスペンション用基板の支持体として機能し、所望のばね性を有するものであれば、特に限定されるものではないが、例えばステンレス鋼を挙げることができる。
金属支持基板の厚さは、例えば、１０μｍ〜３０μｍの範囲内、中でも１５μｍ〜２５μｍの範囲内であることが好ましい。
【００５８】
［ベース絶縁層］
ベース絶縁層は、金属支持基板の表面上に形成されるものであり、ベース絶縁層の上に形成される配線と金属支持基板とを電気的に絶縁するものである。
ベース絶縁層の材料としては、所望の絶縁性を有するものであれば特に限定されるものではないが、例えばポリイミド等を挙げることができる。また、ベース絶縁層の材料は、感光性材料であっても良く、非感光性材料であっても良い。ベース絶縁層の厚さは、例えば、５μｍ〜３０μｍの範囲内であることが好ましい。
【００５９】
［配線］
配線の材料としては、所望の導電性を有するものであれば特に限定されるものではないが、例えば銅（Ｃｕ）等を挙げることができる。各配線は、その表面にニッケル（Ｎｉ）、金（Ａｕ）による保護めっき層が形成されていても良い。
【００６０】
配線の厚さとしては、例えば、４μｍ〜１８μｍの範囲内、中でも５μｍ〜１５μｍの範囲内であることが好ましい。配線の厚さが小さすぎると、充分な低インピーダンス化を図ることができない可能性があり、配線の厚さが大きすぎると、サスペンション用基板の剛性が高くなり過ぎる可能性があるからである。
【００６１】
配線の線幅としては、例えば、１０μｍ〜１００μｍの範囲内であることが好ましい。配線の線幅が小さすぎると、所望の導電性を得ることができない可能性があり、配線の線幅が大きすぎると、サスペンション用基板の充分な高密度化を図ることができない可能性があるからである。
【００６２】
また配線間の距離は、例えば８μｍ〜３０μｍの範囲内であることが好ましい。この距離が小さすぎると、高い加工精度を要求し、コストアップ等を招くことになるため好ましくなく、一方、この距離が大きすぎると、サスペンション用基板の充分な高密度化を図ることができない可能性があるからである。
【００６３】
［サスペンション用基板の製造方法］
次に、本発明に係るサスペンション用基板の製造方法について説明する。
本発明に係るサスペンション用基板の製造方法は、金属支持基板と、前記金属支持基板上に形成されたベース絶縁層と、前記ベース絶縁層上に形成された複数の配線と、を備えたサスペンション用基板の製造方法であって、前記ベース絶縁層の上に、前記配線を形成する工程と、前記ベース絶縁層、および、前記配線の上に、第１のカバー絶縁層を形成する工程と、前記第１のカバー絶縁層の上に、第２のカバー絶縁層を形成する工程と、を順に有するものである。
【００６４】
以下、本発明のサスペンション用基板の製造方法の一例について、図４および図５を用いて説明する。
本発明に係るサスペンション用基板１を製造するには、まず、図４（ａ）に示すように、金属支持基板１１（例えば、ステンレス鋼）、ベース絶縁層１２（例えば、ポリイミド）、および配線材層１３（例えば、銅）が、順次形成された積層体を用意する。ベース絶縁層１２と配線材層１３の間には、シード層が設けられていても良い（図示せず）。
【００６５】
次に、ドライフィルムレジストを用いたフォト製版により、レジストパターン４１を形成し（図４（ｂ））、前記レジストパターン４１をエッチングマスクに用いて配線材層１３をエッチングし（図４（ｃ））、その後、前記レジストパターン４１を剥離除去して、配線４Ａ、４Ｂ、４Ｃ、４Ｄを形成する（図４（ｄ））。
【００６６】
次に、ベース絶縁層１２、および、配線４Ａ、４Ｂ、４Ｃ、４Ｄの上に、前記配線４Ａ、４Ｂ、４Ｃ、４Ｄを被覆するように、第１のカバー絶縁層１４を形成し（図５（ｅ））、その後、前記第１のカバー絶縁層１４の上に、配線４Ａ、４Ｂ、４Ｃ、４Ｄの配線間の隙間を埋めるように第２のカバー絶縁層１５を形成する（図５（ｆ））。
なお、本発明においては、前記第２のカバー絶縁層１５は、少なくとも、前記配線４Ａ〜４Ｄ間における前記ベース絶縁層１２の上の前記第１のカバー絶縁層１４の上に形成されていればよい。
また、本発明において、前記第２のカバー絶縁層１５は、感光性材料を使って、フォトリソ工程により、前記配線４Ａ〜４Ｄ間における前記ベース絶縁層１２の上の前記第１のカバー絶縁層１４の上にのみ形成されていてもよい。
【００６７】
最後に、配線４Ａ、４Ｂ、４Ｃ、４Ｄの下に位置する金属支持基板１１を部分的に除去して開口部１６を形成し、本発明に係るサスペンション用基板１を得る（図５（ｇ））。
なお、上記の開口部１６の形成は、配線材層１３をエッチングする工程（図４（ｃ））と同一工程において、金属支持基板１１をエッチングすることにより形成してもよい。
【００６８】
また、上述の製造方法においては、配線４Ａ、４Ｂ、４Ｃ、４Ｄをエッチングにより形成する方法（サブトラクティブ法）について述べたが、本発明においては、従前公知の方法（アディティブ法）により配線４Ａ、４Ｂ、４Ｃ、４Ｄをめっき法で形成しても良い。
【００６９】
このような製造方法を用いることにより、ベース絶縁層１２、および、配線４Ａ〜４Ｄの上に、第１のカバー絶縁層１４を有し、前記第１のカバー絶縁層１４の上に、第２のカバー絶縁層１５を有する本発明に係るサスペンション用基板１を得ることができる。
【００７０】
そして、本発明のサスペンション用基板１においては、上述のように、複数の配線４Ａ〜４Ｄの間に、第１のカバー絶縁層１４と第２のカバー絶縁層１５が形成されていることから、従来よりも、配線間の空間を、空気よりも比誘電率の高い誘電体で埋めることができ、配線間の結合容量（電気容量的な結合性）がより高まることから、差動インピーダンスをさらに低減することができるという効果を奏する。
【００７１】
さらに、上述の図２に示すように、前記複数の配線４Ａ〜４Ｄの各配線間における、前記第１のカバー絶縁層１４と前記第２のカバー絶縁層１５を合わせた厚み（Ｈ２）が、前記複数の配線４Ａ〜４Ｄの厚み（Ｈ１）よりも大きくなるように、前記第１のカバー絶縁層１４と前記第２のカバー絶縁層１５を形成することにより、前記配線間の結合容量増加の効果を最大限引き出すことができ、また、各配線間の隙間を全て前記誘電体で埋めることができるため、各配線間の結合容量のばらつきを抑制することができる。
すなわち、本発明の製造方法により得られたサスペンション用基板の差動インピーダンスを、さらに低減化することができ、かつ、安定化することができる。
【００７２】
ここで、本発明においては、前記第１のカバー絶縁層１４が、第１のポリイミド前駆体をイミド化した第１のポリイミド樹脂からなり、前記第２のカバー絶縁層１５が、第２のポリイミド前駆体をイミド化した第２のポリイミド樹脂からなり、前記第１のポリイミド前駆体を溶剤に溶解させた第１の塗液を、前記ベース絶縁層１２、および、前記配線４Ａ〜４Ｄの上に塗布し、前記第１のポリイミド前駆体をイミド化して前記第１のカバー絶縁層１４を形成した後に、前記第２のポリイミド前駆体を溶剤に溶解させた第２の塗液を、前記第１のカバー絶縁層１４の上に塗布し、前記第２のポリイミド前駆体をイミド化して前記第２のカバー絶縁層１５を形成することが好ましい。
【００７３】
従来の方法においては、カバー絶縁層をポリイミド樹脂で形成する場合、ポリイミド前駆体を溶剤に溶解させた塗液を、配線の上から塗布し、乾燥やパターニング等の処理を施した後に、前記ポリイミド前駆体をイミド化することにより、単層のカバー絶縁層を形成していた。
そして、従来の方法においては、主にイミド化工程における樹脂の収縮により、配線間のカバー絶縁層の厚みは薄くなってしまい、配線の高さ（厚み）まで前記カバー絶縁層を形成することはできず、それゆえ、配線間の結合容量も大きくできないという問題があった。
【００７４】
一方、本発明においては、上述のように、前記第１のポリイミド前駆体をイミド化して第１のカバー絶縁層１４を形成した後に、第２のカバー絶縁層１５を形成するため、例え、第１のカバー絶縁層１４が乾燥工程やイミド化工程によって収縮しても、第２のカバー絶縁層１５と合わせた厚みによって、前記複数の配線４Ａ〜４Ｄの配線間の空間をポリイミド樹脂で埋めていくことができる。
【００７５】
また、本発明においては、前記第１のカバー絶縁層を形成する工程は、従来のサスペンション用基板の製造方法における単層のカバー絶縁層を形成する工程と同じ工程とすることができる。すなわち、前記第１のカバー絶縁層おいては、用いる材料や、塗布、乾燥、パターニング、イミド化等の各処理条件を、実績のある従来方法と同じにすることができる。
それゆえ、本発明においては、第１のカバー絶縁層による配線の被覆を、従来どおりの信頼性で達成することができ、この効果に加えて、主に第２のカバー絶縁層による配線間の充填によって、配線の結合容量を増加することができ、差動インピーダンスを低減することができる。
【００７６】
なお、上述のように、前記第１のカバー絶縁層１４、および、前記第２のカバー絶縁層１５を構成する材料としては、空気よりも比誘電率の高い誘電体であれば用いることができ、空気の比誘電率が概ね１であるのに対し、ポリイミド樹脂の比誘電率は３〜４程度であることから、前記第１のカバー絶縁層１４、および、前記第２のカバー絶縁層１５を構成する材料としてポリイミド樹脂を好適に用いることができる。
【００７７】
また、本発明においては、前記第２の塗液の粘度が、前記第１の塗液の粘度よりも小さいことが好ましい。
各塗液の粘度を上記のように調整することにより、前記第２の塗液の流動性を、前記第１の塗液の流動性よりも高めることができ、第２のカバー絶縁層による配線間の隙間の充填性を、より高めることができるからである。
【００７８】
上記のような粘度の調整は、各塗液におけるポリイミド前駆体に対する溶剤の量を変えることで調整できる。溶剤としては、例えば、ＮＭＰ（Ｎ−メチルピロリドン）を用いることができる。
【００７９】
また、本発明においては、前記第１のポリイミド前駆体と、前記第２のポリイミド前駆体が、同一のポリアミド酸で構成されていることが好ましい。
前記第１のポリイミド前駆体と、前記第２のポリイミド前駆体が、同一のポリアミド酸で構成されていれば、第１のカバー絶縁層を形成する工程と、第２のカバー絶縁層を形成する工程とで、イミド化等の条件を同じにすることで、前記第１のカバー絶縁層と前記第２のカバー絶縁層を同質のものにすることができ、前記第１のカバー絶縁層と前記第２のカバー絶縁層との密着性を高めることができるからである。
【００８０】
なお、前記第１のカバー絶縁層、または、前記第２のカバー絶縁層を形成するポリイミド樹脂は、感光性であっても良く、非感光性であっても良い。
感光性ポリイミド樹脂は、例えば、ポリイミド前駆体であるポリアミド酸に、ジヒドロピリジン誘導体等の感光剤を結合させることにより、得ることができる。
【００８１】
［サスペンション］
次に、本発明のサスペンションについて説明する。本発明のサスペンションは、上述したサスペンション用基板と、ロードビームとを含むことを特徴とするものである。
【００８２】
図６は、本発明に係るサスペンションの一例を示す概略平面図である。図６に示されるサスペンション５０は、上述したサスペンション用基板１と、サスペンション用基板１の裏面側（金属支持基板１１側）に備え付けられたロードビーム５１、及びベースプレート（図示せず）とを有するものである。ロードビーム、及びベースプレートは、一般的なサスペンションに用いられるロードビーム、ベースプレートと同様のものを用いることができる。
【００８３】
本発明においては、上述したサスペンション用基板を用いることで、差動インピーダンスが低減されたサスペンションとすることができる。
【００８４】
［ヘッド付サスペンション］
次に、本発明のヘッド付サスペンションについて説明する。本発明のヘッド付サスペンションは、上述したサスペンションと、該サスペンションに実装された磁気ヘッドスライダとを有するものである。
【００８５】
図７は、本発明に係るヘッド付サスペンションの一例を示す概略平面図である。図７に示されるヘッド付サスペンション６０は、上述したサスペンション５０と、サスペンション５０のタング部２に実装された磁気ヘッドスライダ６１とを有するものである。
【００８６】
なお、サスペンション５０については、上述した内容と同様であるので、ここでの記載は省略する。また、磁気ヘッドスライダ６１は、一般的なヘッド付サスペンションに用いられる磁気ヘッドスライダと同様のものを用いることができる。
【００８７】
本発明によれば、上述したサスペンション用基板を用いることで、差動インピーダンスが低減されたヘッド付サスペンションとすることができる。
【００８８】
［ハードディスクドライブ］
次に、本発明のハードディスクドライブについて説明する。本発明のハードディスクドライブは、上述したヘッド付サスペンションを含むことを特徴とするものである。
【００８９】
図８は、本発明に係るハードディスクドライブの一例を示す概略斜視図である。
図８に示されるハードディスクドライブ７０は、ケース７１と、このケース７１に回転自在に取り付けられ、データが記憶されるディスク７２と、このディスク７２を回転させるスピンドルモータ７３と、ディスク７２に所望のフライングハイトを保って近接するように設けられ、ディスク７２に対してデータの書き込みおよび読み込みを行うスライダを含むヘッド付サスペンション６０とを有している。このうちヘッド付サスペンション６０は、ケース７１に対して移動自在に取り付けられ、ケース７１にはヘッド付サスペンション６０のスライダをディスク７２上に沿って移動させるボイスコイルモータ７４が取り付けられている。また、ヘッド付サスペンション６０は、ボイスコイルモータ７４にアーム７５を介して取り付けられている。
【００９０】
なお、ヘッド付サスペンションについては、上述した内容と同様であるので、ここでの記載は省略する。また、その他の部材についても、一般的なハードディスクドライブに用いられる部材と同様のものを用いることができる。
【００９１】
本発明によれば、上述したヘッド付サスペンションを用いることで、より高機能化されたハードディスクドライブとすることができる。
【００９２】
以上、本発明に係るサスペンション用基板、サスペンション、ヘッド付サスペンション、ハードディスクドライブ、およびサスペンション用基板の製造方法について説明してきたが、本発明は、上記実施形態に限定されるものではない。上記実施形態は例示であり、本発明の特許請求の範囲に記載された技術的思想と、実質的に同一の構成を有し、同様な作用効果を奏するものは、いかなる場合であっても本発明の技術的範囲に包含される。
【符号の説明】
【００９３】
１・・・サスペンション用基板
２・・・タング部
３・・・接続端子部
４・・・書込配線
４Ａ、４Ｂ、４Ｃ、４Ｄ・・・配線
５・・・読取配線
１１・・・金属支持基板
１２・・・ベース絶縁層
１３・・・配線材層
１４・・・第１のカバー絶縁層
１５・・・第２のカバー絶縁層
２０・・・インターリーブ配線
２１・・・第１信号伝送配線
２２・・・第２信号伝送配線
２３Ａ、２３Ｂ、２３Ｃ、２３Ｄ・・・接続ビア
２４、２５・・・接続線
４１・・・レジストパターン
５０・・・サスペンション
５１・・・ロードビーム
６０・・・ヘッド付サスペンション
６１・・・磁気ヘッドスライダ
７０・・・ハードディスクドライブ
７１・・・ケース
７２・・・ディスク
７３・・・スピンドルモータ
７４・・・ボイスコイルモータ
７５・・・アーム
１００・・・インターリーブ配線構造
１０１・・・第１信号伝送配線
１０２・・・第２信号伝送配線
１０４Ａ、１０４Ｂ、１０４Ｃ、１０４Ｄ・・・配線
１０５、１０６・・・ジャンパー線
１１０、１２０・・・サスペンション用基板
１１１・・・金属支持基板
１１２・・・ベース絶縁層
１１４・・・カバー絶縁層
１１６・・・開口部
【図１】
0006015024.tif 000002
【図２】
0006015024.tif 000003
【図３】
0006015024.tif 000004
【図４】
0006015024.tif 000005
【図５】
0006015024.tif 000006
【図６】
0006015024.tif 000007
【図７】
0006015024.tif 000008
【図８】
0006015024.tif 000009
【図９】
0006015024.tif 000010
【図１０】
0006015024.tif 000011